(57)【要約】 【課題】  ブレースピンを利用しての後付的「下さん」の取り付けが極めて容易かつ簡便に果されるように構成した新規のブレース用下さんの提供を図ったものである。【解決手段】基端側を扁平化することによって肉薄取付片部1ａを形成すると共に、当該肉薄取付片部1ａには、建枠Ａに突設されている下位側ブレースピンｂに対する係止用孔1ｂを穿設した下さん杆１を具え、当該下さん杆１の先端部には、Ｘ状に組立てられたブレースＢの対応箇所に引っ掛けることにより先端部側での水平状態での安定的取り付けを図るためのフック状を呈するスライド金具４を設けるように構成したことを特徴とするブレース用下さん。【選択図】  図４
2010275777.tif 000002
【特許請求の範囲】
【請求項１】
所要数の建枠(Ａ)を等間隔で立設すると共に、その各建枠間に、各建枠に予め突設されている上位側ブレースピン(ａ)と下位側ブレースピン(ｂ)とを利用してその各端部を係止させてＸ状に組み立てたブレース(Ｂ)の下端部に対して、後付け的に取付けるための下さんであって、
基端側を扁平化することによって肉薄取付片部(1ａ)を形成すると共に、当該肉薄取付片部(1ａ)には、建枠Ａに突設されている下位側ブレースピン(ｂ)に対する係止用孔(1ｂ)を穿設した下さん杆(１)を具え、
当該下さん杆(１)の長さを、Ｘ状に組んだ状態のブレース(Ｂ)の横幅寸法から、建枠の柱の幅寸法を減じた長さ未満とするように設定し、
当該下さん杆(１)の先端部には、上記のようにＸ状に組立てられたブレース(Ｂ)の対応箇所に引っ掛けることにより先端部側での水平状態での安定的取り付けを図るためのフック状スライド金具(４)を設けるように構成したことを特徴とするブレース用下さん。
【請求項２】
下さん杆(１)の先端部に、当該下さん杆(１)の取付け時に、ブレース(Ｂ)の肉薄取付片部に対して下から挟み込むようにしてその安定性確保を図るためのＵ字状を呈するストッパー片(３)を設けて成る請求項１に記載のブレース用下さん。
【請求項３】
下さん杆(１)を中空のパイプ材で形成した請求項１または請求項２の何れかに記載のブレース用下さん。
【請求項４】
下さん杆(１)を中空のパイプ材で形成すると共に、その内部のほぼ全長に亘って補強板(２)を収装するように構成した請求項１または請求項２の何れかに記載のブレース用下さん。
【発明の詳細な説明】
【技術分野】
【０００１】
本発明は建築用足場を構築するに際し、所定間隔を保って立設する建枠の間に組み込むＸ状のブレース（交差筋違）に対して、後付的に取り付け可能とする下さん（下桟）に関する。
【背景技術】
【０００２】
従来、建造物等の建築のために足場を形成するに際しては、所要数所定間隔を保って対向させた建枠の夫々の間に、足場用踏板を水平状態で架設すると共に、各建枠間の連結の強化を図るためのブレース（交差筋違）をＸ状に連結することを通例とした。
【０００３】
そして、労働安全衛生規則の改正に基づき、当該ブレースに対して下さんを取り付けることが義務付けられる運びとなる。  然し乍、ブレースとしてこのような「下さん」を具えたものに変更することは、既存のブレース全てを新しいものに取り換えなければならないため、これに要する経済的負担は著しいものがある。
【０００４】
上記のような問題を解決するために、今まで使用している既存のブレースに対して、Ｘ状に組んだ状態に於いてその下端寄りやや上方に位置に、別個用意した棒状の「下さん手摺」を所要の取付け金具を介して固定するように構成したものがある（例えば特許文献１参照。）  すなわち、Ｘ状に組んだブレース（交差筋違）に対して、その両側の下端のやや上方部分の間に水平に架設するように、棒状を呈する下さんの両端を掛止め固定するように構成したものである。
【０００５】
【特許文献１】特開２０００−３２８７７４号公報
【発明の開示】
【発明が解決しようとする課題】
【０００６】
上述したような従来の「下さん」の場合、固定用金具の必要性から必然的にブレースの下端よりやや上方に取り付けることを余儀なくされる。  すなわち、当該「下さん」の取付け位置がブレースの下端より高い位置とされてしまうことになる。
【０００７】
一方、労働安全衛生規則においては、その取り付け高さが踏面より１５ｃｍ以上４０ｃｍ未満とされるため、上記したような「下さん」の取付け形態では、当該基準を外れてしまう恐れが生じてしまうこととなる。
【０００８】
ところで、既存の建枠に突設されている下位側ブレースピンの取り付け高さ（図５に示す下位側のブレースピンの高さ）は、上記した基準を満たす範囲内に存在する。  本発明はこの事実に着目し、当該下側のブレースピンに取り付けることが出来るようにしたブレース用下さんに関するものである。
【０００９】
然し乍、単純に当該ブレースピンを利用した場合、一つのブレースピンに対して、Ｘ状を呈する１単位のブレース部分の下端連結部は、ブレースの下端取付け片と、「下さん」の端部取付け片の二つの取付け片が存在することとなり、従って、このようにして左右方向に所定間隔を保って立設する建枠に対して取りつける場合、一つの下位側ブレースピンに対して、左右のブレースの取り付け片部分が二本づつと、左右の「下さん」の取付け片部分が二本づつと言うように、合計四本の取付け片部分が重ねられて差し込まれることなる。  
【００１０】
一方、当該ブレースピンの長さは、図７に示すように全長５０ｍｍとするが、掛止め用フック部を除いた掛止め可能部分の長さは２５ｍｍ程度であるため、これに差し込み可能とする「取付け片」の数は最大でも三本程度に制限されてしまい、従って、単純にブレースピンを利用しての「下さん」の取付けを図ることは不可能とされた。
【００１１】
本発明はこのような問題を解決し、ブレースピンを利用しての後付的「下さん」の取り付けが極めて容易かつ簡便に果されるように構成した新規のブレース用下さん手摺の提供を図ったものである。
【課題を解決するための手段】
【００１２】
本発明は請求項１に記載したように、所要数の建枠Ａを等間隔で立設すると共に、その各建枠間に、各建枠に予め突設されている上位側ブレースピンａと下位側ブレースピンｂとを利用してその各端部を係止させてＸ状に組み立てられたブレースＢの下端部に対して、後付け的に取付けるための下さんであって、基端側を扁平化することによって肉薄取付片部1ａを形成すると共に、当該肉薄取付片部1ａには、建枠Ａに突設されている下位側ブレースピンｂに対する係止用孔1ｂを穿設した下さん杆１を具え、当該下さん杆１の長さを、Ｘ状に組んだ状態でのブレースの横幅寸法から、建枠の柱の幅寸法を減じた長さ未満とするように設定し、当該下さん杆１の先端部には、上記のようにＸ状に組立てられたブレースＢの対応箇所に引っ掛けることにより先端部側での水平状態での安定的取り付けを図るためのフック状スライド金具４を設けるように構成したことを特徴とするブレース用下さん手摺に係る。
【００１３】
本発明は請求項２に記載したように、下さん杆１の先端部に、当該下さん杆１の取付け時に、ブレースＢの肉薄取付片部に対して下から挟み込むようにしてその安定性確保を図るためのＵ字状を呈するストッパー片３を設けて成る請求項１に記載のブレース用下さんを実施の態様とする。
【００１４】
本発明は請求項３に記載したように、下さん杆１を中空のパイプ材で形成した請求項１または請求項２の何れかに記載のブレース用下さんを実施の態様とする。
【００１５】
本発明は請求項４に記載したように、下さん杆１を中空のパイプ材で形成すると共に、その内部のほぼ全長に亘って補強板２を収装するように構成した請求項１または請求項２の何れかに記載のブレース用下さんを実施の態様とする。
【発明の効果】
【００１６】
本発明は請求項１に記載したような構成、すなわち、所要数の建枠Ａを等間隔で立設すると共に、その各建枠間に、各建枠に予め突設されている上位側ブレースピンａと下位側ブレースピンｂとを利用してその各端部を係止させてＸ状に組み立てられたブレースＢの下端部に対して、後付け的に取付けるための下さんであって、基端側を扁平化することによって肉薄取付片部1ａを形成すると共に、当該肉薄取付片部1ａには、建枠Ａに突設されている下位側ブレースピンｂに対する係止用孔1ｂを穿設した下さん杆１を具え、当該下さん杆１の長さを、Ｘ状に組んだ状態でのブレースの横幅寸法から、建枠の柱の幅寸法を減じた長さ未満とするように設定し、当該下さん杆１の先端部には、上記のようにＸ状に組立てられたブレースＢの対応箇所に引っ掛けることにより先端部側での水平状態での安定的取り付けを図るためのフック状スライド金具４を設けるように構成したから、既存のブレースに対する下さんの後付け的な取付けが可能化される。
【００１７】
そして、本発明によれば、上述したような構成に基づき、基端部の固定はブレースピンを利用するも、先端の固定は、Ｘ状に組立てられたブレースＢの対応箇所にフック状スライド金具４を引っ掛けることにより、水平状態での安定的取り付けが図られることとなる。  従って、当該ブレースピンの長さを変更することなく（改良することなく）既存の建枠にあっても、下位側ブレースピン位置での下さん杆１の架設目的が達成されることとなる。  これにより、特許文献１に示されたもののような従来品において生じた労働安全衛生規則に基づく高さ的基準の逸脱というような問題は解消されることとなる。
【００１８】
更に本発明は、予め組み込み固定が成されたブレースに対して、単に掛け止めるだけでその取り付け目的が達成されるから、特許文献１に示されたもののように所要の取付け金具を用いたものの場合に生じる、予めブレースに対して下さんをセッティングしておかなければならない（組み込んでおかなければならない）と言うような取扱上の煩雑性発生が解消される。
【００１９】
本発明は請求項２に記載のような構成、すなわち、下さん用手摺杆１の先端部に、当該下さん杆１の取付け時に、ブレースＢの肉薄取付片部に対して下から挟み込むようにしてその安定性確保を図るためのＵ字状を呈するストッパー片３を設けるように構成することにより、下さん杆１の先端部固定は極めて安定かつ確固たるものとされる。
【００２０】
本発明は請求項３に記載のような構成、すなわち、下さん杆１を中空のパイプ材で形成することにより、軽量化が図られ、取付け作業等、その取扱の容易性が図られることとなる。
【００２１】
本発明は請求項４に記載のような構成、すなわち、下さん杆１を中空のパイプ材で形成すると共に、その内部のほぼ全長に亘って補強板２を収装するように構成することにより、その強度的向上化が図られることとなる。
【発明を実施するための最良の形態】
【００２２】
図１乃至図３は本発明に係る「下さん手摺」を表したものである。  同図において、１はパイプ材で製した下さん杆であって、その基端側を扁平化することによって肉薄取付片部1ａを形成すると共に、その端部には、建枠に突設されている下位側ブレースピンｂに対する係止用孔1ｂが穿設してある。
【００２３】
そして、図示の実施例にあっては、当該下さん杆１の内部にはそのほぼ全長に亙って補強板２が収装されるように構成してあるが、これは絶対的な要件とするものではなく、これを省略することも可能である。  すなわち、下さん杆1として中空であるパイプ材ではなく丸棒状、または角棒状の材料を用いた場合は、このような補強板２は不要化される。  そして、それ程の強度的を必要としない場合においてもこのような補強板２は省略可能とする。
【００２４】
３は下さん杆１の先端部に突設したストッパー片であって、図３に示すように側面Ｕ字状を呈しており、後述するような下さん杆１の取付け時に、ブレースの肉薄取付片部に対して下から挟み込むようにしてその安定性確保を図るように構成してある。
【００２５】
４は上記したストッパー片３のやや手前に上方に突出させるように付設したフック状を呈するスライド金具であって、既存のブレースの対応箇所に引っ掛けることにより、先端部側における水平状態での安定的取り付けを果すためのものである。
【００２６】
図４乃至図６は本発明に係る「下さん」の取付け形態を表したものである。  すなわち、従来、既存の建枠Ａに対する既存のブレースＢの取り付けは、所要数の建枠Ａを等間隔で立設すると共に、その各建枠間にブレースＢを、各建枠に予め突設されている上位側ブレースピンａと下位側ブレースピンｂとを利用してその各端部を係止させてＸ状に組み立て、これにより、各建枠の安定化を図るようにしたものである（図４参照）。
【００２７】
上記のようなブレースＢの取り付けに伴い、各ブレースピンには左右のブレースの端部が係止されるため、それぞれ二個づつの端部が嵌合係止されることとなる（図４における中央に位置する建枠のブレースピン部分を参照）。  そして、ブレースピンの係止可能とする部分の長さは通常２５ｍｍ程度であるため、図６に示すようにこれに対する掛止め可能の端部数は三つ程度に制限されることとなる。  ところで、図７に示すように、ブレースピンの全長Ｓは通常５０ｍｍ程度であり、そして、掛止め用フック部を除いた掛止め可能部分の長さＰは２５ｍｍ程度である。
【００２８】
従って、全ての係止をブレースピンに依存した場合は、下位側ブレースピンｂに対して、左右に位置して連結される２単位のブレースＢにおける二本の端部と、これに伴い左右に位置する二本の下さん杆1，1の二本の端部との、合計四本の端部が集中してしまうこととなる。  そして、既存の建枠に設けられているブレースピンにあっては、このような四本の端部受入は寸法的に不可能であり、このような形態での実施を成す場合は、建枠Ａ自体をこれに適応する形態に改良しなければ成らないこととなる。
【００２９】
本発明は、このような制限性に係わらず、既存の建枠に対しても、下位側ブレースピンｂの位置で（高さで）、下さん杆１の取り付け目的が果たされるように構成したことを特徴とするものである。
【００３０】
すなわち、本発明に係る「下さん」は、下さん杆１の先端部に付設したフック状を呈するスライド金具４を、ブレースＡの対応下端部に引っ掛ける。  然る後、当該下さん杆１の基端部に形成されている肉薄取付片部1ａ部分を、その係止用孔1ｂを建枠Ａに突設されている下位側ブレースピンｂに対する掛止めを行う。  この時、当該係止のための位置調節は、他方の係止がスライド金具４による移動可能な状態で安定化させてあるため、その差込作業は極めて容易かつ安全に行われることとなる。
【００３１】
そして、本発明においては、ブレースに対して後付的取り付け、すなわち、ブレースをＸ状に組立ててその固定を図った後に、下さん杆１の架設を図ることが出来、かつ、そのために工具等の使用することなく単なる掛止め手段に基づき達成されることとなる。
【００３２】
上述したような取り付け作業の完了時には、下さん杆１の基端部は下位側ブレースピンｂによる掛止め的固定が果たされると共に、その先端側は、他側の下位側ブレースピンを利用することなく、ブレースに対するスライド金具４による引っ掛けに基づき水平状態での安定的架設が図られることとなる。
【００３３】
このような取り付け形態を採ることにより、下位側ブレースピンｂに対する掛止め用係止片の数は、図６に示す中央の建枠の下位側ブレースピンｂ部分のように、最大三個の係止片の掛止めで、下さん用手摺杆１の架設目的が達成されることとなるわけである。
【００３４】
従って、既存のブレースピン自体の長さ性からもたらされる前述したような問題を解決して（四本の端部固定に基づく問題性）、当該下側ブレースピンの高さ部分での「下さん杆１」の水平状態での状架設目的が達成されることとなる。
【００３５】
ところで、ストッパー片３であるが、これは前述したようなスライド金具４のブレースＡに対する引っ掛け時に、当該ブレースの肉薄取付片部に対してその下縁側から挟み込むように嵌着することにより、その安定性のより一層の確保性を図るためのものである。
【００３６】
また、下さん用手摺杆１の長さであるが、これは取付け対象とするブレースの寸法に即応させて設定するものとするが、何れにせよ、Ｘ状に組んだブレースの両下端部間隔より短めに設定するものである。
【００３７】
すなわち、Ｘ状に組んだ状態でのブレースの具体的寸法を挙げれば、インチタイプとメータータイプとに大別される。  前者の主たるものとしては、６１０、９１４、１２１９、１５２４、１８２９（単位ミリメートル）のものがあり、そして、後者の主たるものとしては、６００、９００、１２００、１５００、１８００（単位ミリメートル）のものがある。
【００３８】
そして、上記のブレースに対応させて下さん杆１の長さを予め設定しておくわけであるが、この場合、下さん杆１の長さは一方の建枠の柱の外側端から、他方の柱の内側端未満であることが条件とされる。  従って、上述したような各種寸法のブレースに対応する夫々の下さん杆１の長さとしては、Ｘ状に組んだ状態でのブレースの横幅寸法から、既存の建枠の柱の幅（通常25ｍｍ程度）を減じた寸法未満とすることが重要である。
【００３９】
換言すれば、架設状態にある下さん杆１の長さは、基端部はブレースピンに掛け止められ、他方（先端部）は建枠Ａの柱の手前に位置するような状態（図４に示す状態）となるような設定が寸法的設定をなすものとである。
【００４０】
本発明にあっては、上記したような各種の寸法を具えたブレースは勿論、これ以外の寸法を具えたブレースも実施の対象とする。  換言すれば、本発明にあっては、実施上の寸法的限定性は存在しないものである。
【図面の簡単な説明】
【００４１】
【図１】本発明の要部とする「下さん杆１」を表した正面図である。
【図２】本発明の要部とする「下さん杆１」を表した平面図である。
【図３】本発明の要部とする「下さん杆１」の拡大右側面図である。
【図４】本発明の使用状態を表した説明用正面図である。
【図５】本発明の使用状態を表した説明用側面図である。
【図６】下位側ブレースピンに対する係止状態を表した説明用拡大図である。
【図７】既存のブレースピンを拡大して表した正面図である。
【符号の説明】
【００４２】
１  下さん杆
1ａ 肉薄取付片部
1ｂ 係止用孔
２  補強板
３  ストッパー片
４  スライド金具
A   建枠
a   上位側ブレースピン
ｂ  下位側ブレースピン
Ｂ  ブレース
Ｓ  ブレースピンの長さ寸法
Ｐ  ブレースピンにおける掛止め用フック部を除いた掛止め可能部分の長さ
【図１】
2010275777.tif 000003
【図２】
2010275777.tif 000004
【図３】
2010275777.tif 000005
【図４】
2010275777.tif 000006
【図５】
2010275777.tif 000007
【図６】
2010275777.tif 000008
【図７】
2010275777.tif 000009